(57)【要約】【課題】ミストに塵埃を捕捉させることにより空気から塵埃を除去する集塵機において、フィルター装置を設けることなく、集塵能力を高めることを目的としている。【解決手段】  流入口から塵埃を含んだ空気を取り入れ、空気にミストを接触させることにより塵埃を捕捉し、塵埃と分離した空気を排出口から排出する集塵装置において、（１）内部に水を張った水槽に前記流入口と排出口を設けるとともに、（２）流入口から取り込んだ塵埃を含む空気にミストを噴きかけるための噴霧ノズルと、（３）前記水槽内部を複数の領域に分割するための仕切り板と、（４）分割された水槽の各領域を空気が通過するための通気路と、を設けたことを特徴とする集塵装置を提供することにより、前記課題を解決する。【選択図】  図１
2007296457.tif 000002
【特許請求の範囲】
【請求項１】
流入口から塵埃を含んだ空気を取り入れ、空気にミストを接触させることにより塵埃を捕捉し、塵埃と分離した空気を排出口から排出する集塵装置において、
内部に水を張った水槽に前記流入口と排出口を設けるとともに、
流入口から取り込んだ塵埃を含む空気にミストを噴きかけるための噴霧ノズルと、
前記水槽内部を複数の領域に分割するための仕切り板と、
分割された水槽の各領域を空気が通過するための通気路と、
を設けたことを特徴とする集塵装置。
【請求項２】
前記通気路がアーチ型に構成されることを特徴とする請求項１に記載の集塵装置。
【請求項３】
前記仕切り板が前記通気路の上下面と接するように設けられており、通気路下面側に設けられる仕切り板が通気路先端部に接することを特徴とする請求項１又は２に記載の集塵装置。
【発明の詳細な説明】
【技術分野】
【０００１】
本発明は集塵装置に関するものであり、特にミストにより集塵する湿式の集塵装置に関する。
【背景技術】
【０００２】
従来の湿式集塵装置として、特許文献１に示すものがある。文献１発明では、一端を空気の取り入れ口とし、他端を排気口とする捕集槽の内部に吸収水を張り、ミスト導入しながら、塵をミストに捕捉させ、捕集槽内部に設けられたデミスターにより集塵する。
【０００３】
また、別の先行技術として特許文献２に示す穀物乾燥機用集塵機が挙げられる。この集塵機では、上面が開放した水槽の上部からミストを放出し、混合部で塵をミストに捕捉させた後、ミストと共に水槽内に流下させ、空気のみを排気口から排出するようになっている。
【０００４】
【特許文献１】特開２００５−０００８８８号公報
【特許文献２】特開２００３−６５６７6号公報
【発明の開示】
【発明が解決しようとする課題】
【０００５】
しかしながら、特許文献１の湿式集塵装置によるとデミスターを設けなければならず、空気の流れを阻害する要因となる。また、特許文献２においては混合部が狭いので、塵埃が十分にミストに捕捉されるとは言い難いし、ミストが水槽に流下する距離も短く、そのままミストが外部に放出されてしまう可能性がある。
【０００６】
そこで本発明ではデミスターを設けることなく、集塵能力を高めることを目的としている。
【課題を解決するための手段】
【０００７】
１．流入口から塵埃を含んだ空気を取り入れ、空気にミストを接触させることにより塵埃を捕捉し、塵埃と分離した空気を排出口から排出する集塵装置において、（１）内部に水を張った水槽に前記流入口と排出口を設けるとともに、（２）流入口から取り込んだ塵埃を含む空気にミストを噴きかけるための噴霧ノズルと、（３）前記水槽内部を複数の領域に分割するための仕切り板と、（４）分割された水槽の各領域を空気が通過するための通気路と、を設けたことを特徴とする集塵装置を提供する。
【０００８】
２．前記通気路がアーチ型に構成されることを特徴とする１．に記載の集塵装置を提供する。
【０００９】
３．前記仕切り板が前記通気路の上下面と接するように設けられており、通気路下面側に設けられる仕切り板が通気路先端部に接することを特徴とする１．又は２．に記載の集塵装置を提供する。
【発明の効果】
【００１０】
本発明によれば、塵をミストに捕捉させた後、デミスター等のフィルタ装置を設けることなく、塵と水を水槽に流下させることができるため、装置を単純化することができる。
【００１１】
また、アーチ型の通気路を設けることにより、水槽内部で気流の渦を生じさせることができる。これにより塵とミストとが十分に混合され、集塵能力が高まるため、塵埃と水を水面に流下させることができる。
【発明を実施するための最良の形態】
【００１２】
図面を用いて本集塵機について詳細に説明する。図１は本集塵機の全体図である。図２は本集塵機の集塵部の上面図である。図３は仕切り板と通気路の拡大図である。
【００１３】
本集塵機１は水槽１と、仕切り板２Ａ、２Ｂ・・・と、空気用の通気路３Ａ、３Ｂと、空気にミストを噴きつける噴霧ノズル４と、排出口７に設けられたファン９と、を備えることを基本構成とする。
【００１４】
水槽１内部には水が張られており、その水を汲み上げて噴霧ノズル４が水槽上部から散水し、ミストを発生させる。噴霧ノズルから直接ミストを発生させても良いが、水面に向けて激しく散水し、水が跳ね上がることにより、水飛沫（ミスト）を作り出しても良く、水槽１の内部にミストが充満する程にミストを発生させることが望ましい。
【００１５】
排出口７にはファン９が取り付けられており、空気を吸い出すようにしてあるため、水槽内部では流入口から排出口に向けての空気の流れが生じ、ミストと塵埃を含んだ空気が水槽内を移動することになる。
【００１６】
空気とミストが混合することにより、空気に含まれる塵埃が水を含み、自重を増す。そしてそのまま水面へと流下することにより、空気から塵埃が除去されるのである。
【００１７】
水面へと流下した塵埃はそのまま沈殿して水槽底部に堆積する。底部にはベルトコンベア５が設けられており、堆積した塵埃は水槽１から引き上げられ、除去される。水槽内部の水は適宜、浄化装置と循環させることも可能である。
【００１８】
水槽１の内部は仕切り板２Ａ、２Ｂ・・・によって複数の領域に分割されている。そして空気が流入口から各領域を通過して排出口に至るようにするため、通気路３Ａ、３Ｂが仕切り板２Ｂ、２Ｃと直交方向に設けられている。仕切り板２Ｂ、２Ｃは水槽天板から通気路３Ａまで達しており、仕切り板２Ｄ、２Ｅは通気路３Ｂから水面下まで達しているので、空気は通気路３を通らないと隣の領域に流入することができないようになっている。尚、仕切り板の数及び通気路の数は適宜変更され、流入口から排出口までの長さを決定することができる。空気は仕切り板２Ａに当り、排出口７へと導かれ、外部へ放出される。
【００１９】
通気路３Ａの上面側と接するように設けられる仕切り板２Ｂ、２Ｃは、水槽１の天板から鉛直方向に設けられる。通気路３Ａと仕切り板２Ｂ、２Ｃと水槽１天板との間に空間ができるように設け、好ましくは通路３Ａ上面の中央付近に設けられる。通気路３Ａ、３Ｂはアーチ形状をしており、この円弧の径が可変となるよう、図３に示すように、ボルトを設けることも可能である。尚、このボルトを通気路３Ａに同様に設けることも可能である。
【００２０】
このように仕切り板２Ｂ、２Ｃと通気路３Ａとの形状が相俟って、図１のように水槽天板と通気路３Ａとの間に気流の渦を生じさせる。つまり、空気が通気路３Ａの先端に当り、そのまま通気路３Ａ上面に沿って仕切り板２Ｂ、２Ｃに当る。そして渦巻き状の気流となって滞留した後に通気路３へと進入するのである。このように空気の滞留をもたらすことで、噴霧ノズル４から噴射されるミストと、塵埃を含んだ空気が混合されるため集塵効果を高める。
【００２１】
また、仕切り板２Ｄ、２Ｅは通気路３Ｂの下面側先端と接するように設けられている。この構造により、仕切り板２Ｄ、２Ｅに当たった空気はそのまま通気路３へと進入できる。尚、水を堰き止めずかつ空気が通気路３を通らず隣の領域に侵入することがないように、水位に応じて仕切り板２Ｄ、２Ｅの高さを調節するのが好ましい。尚、仕切り板２Ａも水位に応じて高さを決定できる。
【図面の簡単な説明】
【００２２】
【図１】本発明に係る集塵機の全体図である。
【図２】本発明に係る集塵部の上面図である。
【図３】本発明に係る仕切り板及び通気路の拡大図である。
【符号の説明】
【００２３】
１  集塵機
２Ａ，２Ｂ，２Ｃ、２Ｄ、２Ｅ  仕切り板
３Ａ，３Ｂ  通気路
４  噴霧ノズル
６  流入口
７  排出口
【図１】
2007296457.tif 000003
【図２】
2007296457.tif 000004
【図３】
2007296457.tif 000005